(57)【特許請求の範囲】
【請求項１】
目地空間を挟んで隣接する２つの建物の各通路間を、各通路の床と床とにわたって設けられる床用伸縮継手カバーと、各通路の壁と壁とにわたって設けられる壁用伸縮継手カバーとによって、各建物の水平変位のうち相対的に近接／離反する見込み方向の変位および前記見込み方向に垂直な間口方向の変位を許容し得る状態で接続し、
床用伸縮継手カバーの前記間口方向の両端部付近には、各建物の前記見込み方向の変位によって床用伸縮継手カバーと壁用伸縮継手カバーとの間の床壁取合い部に発生する開口を塞ぐ床補助カバーが設けられ、
各床に固定される各縁材の前記間口方向両端部寄りに、前記床補助カバーに間口方向の内側から係合して、その床補助カバーを移動可能に支持する係合支持手段を設け、
前記床補助カバーを、各縁材間のほぼ中央部に維持して、前記間口方向の内側へばねによってばね付勢することを特徴とする伸縮継手装置の補助カバー構造。
【発明の詳細な説明】
【０００１】
【発明の属する技術分野】
本発明は、目地空間を挟んで隣接する２つの建物の各通路間を接続する床用伸縮継手カバーと、壁用伸縮継手カバーとの間の床壁取合い部に生じる床側の開口を塞ぐ伸縮継手装置の補助カバー構造に関する。
【０００２】
【従来の技術】
典型的な従来の技術は、特開平１０−１４０６７３号公報に示されている。この従来の技術では、目地空間を挟んで隣接する２つの建物の各通路間を、各通路の床と床とにわたって設けられる床用伸縮継手カバーと、各通路の壁と壁とにわたって設けられる壁用伸縮継手カバーとによって接続し、急激な地震などに起因する各建物の水平変位のうち相対的に近接／離反する見込み方向の変位および前記見込み方向に垂直な間口方向の変位を許容することができるように構成されている。
【０００３】
前記床用伸縮継手カバーには、各床に目地空間寄りで固定される縁材である下地レールと、各下地レールに摺動可能に支持される目地プレートと、目地プレートの前記見込み方向両側部上に配置され、基端部が各下地レールに固定される一対の側部カバーと、目地プレートの前記間口方向両端部付近に設けられ、各建物の前記見込み方向の変位によって床用伸縮継手カバーと壁用伸縮継手カバーとの間の床壁取合い部に発生する開口を塞ぐ床補助カバーとが設けられる。この床補助カバーは、目地プレートの端部寄りの中央部に設けられるばね付勢機構によって間口方向外方へ突出するようにばね付勢されるとともに、基端部が下地レールに係止されるばねによって見込み方向両側にばね付勢されている。床補助カバーを目地カバープレートから外方へばね付勢する付勢手段は、前記目地プレートの支持枠の中央端部に固定されるガイド筒と、このガイド筒内に収納されるばねと、このばねによってガイド筒から押出す方向にばね付勢されるスライド軸と、スライド軸の先端部を床補助カバーの支持枠の外側中央部に枢支する枢支ピンとを有する。
【０００４】
このような構成によって、地震などに起因して各建物が間口方向へ相対的に変位しても、一方の床補助カバーを付勢手段のばね力に抗して目地カバープレート内へ退避させるとともに、他方の床補助カバーを前記付勢手段によって目地カバープレートから突出する方向に押出し、目地プレートと壁との間の隙間の発生を防止することができる。
【０００５】
【発明が解決しようとする課題】
このような従来の技術では、各床補助カバーを目地カバープレートから外方へ突出する方向にばね付勢しているため、この付勢手段の前記ガイド筒が連結されるパンタグラフ状のリンク機構に大きな反力が作用するため、前記リンク機構を大きな強度を有する構成としなければならない。しかも各床補助カバーおよび目地プレートには補強のために支持枠が固定されており、構成が複雑化するとともに大形化し、部品点数が多くなり、組立性が悪く、製造コストが高価であるという問題がある。また前記付勢手段は、床補助カバーを押出す方向にばね付勢するので、床補助カバーの押出し量が増加するにつれてばね力が減少し、したがって各建物の前記間口方向への変位が大きくなるほど床補助カバーの押出し力は弱くなり、押出し限界位置が不揃いになりやすく、確実に壁とねじカバーとの間の開口を塞ぐことができないという問題がある。
【０００６】
本発明の目的は、構成を簡略化し、確実に床壁取合い部の床側に発生する開口を塞ぐことができるようにした伸縮継手装置の補助カバー構造を提供することである。
【０００７】
【課題を解決するための手段】
請求項１記載の本発明は、目地空間を挟んで隣接する２つの建物の各通路間を、各通路の床と床とにわたって設けられる床用伸縮継手カバーと、各通路の壁と壁とにわたって設けられる壁用伸縮継手カバーとによって、各建物の水平変位のうち相対的に近接／離反する見込み方向の変位および前記見込み方向に垂直な間口方向の変位を許容し得る状態で接続し、
床用伸縮継手カバーの前記間口方向の両端部付近には、各建物の前記見込み方向の変位によって床用伸縮継手カバーと壁用伸縮継手カバーとの間の床壁取合い部に発生する開口を塞ぐ床補助カバーが設けられ、
各床に固定される各縁材の前記間口方向両端部寄りに、前記床補助カバーに間口方向の内側から係合して、その床補助カバーを移動可能に支持する係合支持手段を設け、
前記床補助カバーを、各縁材間のほぼ中央部に維持して、前記間口方向の内側へばねによってばね付勢することを特徴とする伸縮継手装置の補助カバー構造である。
【０００８】
本発明に従えば、目地空間を挟んで隣接する２つの建物の各通路間は、床用伸縮継手カバーと壁用伸縮継手カバーによって接続される。これらの床用伸縮継手カバーおよび壁用伸縮継手カバーは、各建物が急激な地震などに起因して変位したとき、その変位の水平変位に対して、相対的に近接／離反する見込み方向の変位および前記見込み方向に垂直な間口方向の変位を許容し、各通路間を通行可能な状態に維持することができる。
【０００９】
このような床用伸縮継手カバーと壁用伸縮継手カバーとが構成する床壁取合い部には、各建物が前記間口方向に相対的に変位したとき、床側に開口が発生するため、この開口を塞ぐために、前記床用伸縮継手カバーには床補助カバーが設けられる。また各床に固定される各縁材には、間口方向両端部寄りに係合支持手段が設けられる。この係合支持手段は、床補助カバーに間口方向の内側から係合して、床補助カバーを移動可能に支持する。この状態で、床補助カバーは、ばねによって各縁材間の中央部に維持され、間口方向の内側へばね付勢される。
【００１０】
各建物が急激な地震などによって間口方向への相対的変位を生じると、床補助カバーは係合支持手段によって各建物の間口方向の相対的変位に追従して、前記ばねのばね力に抗して回動し、床用伸縮継手カバーと壁用伸縮継手カバーとの間の床壁取合い部の床側に発生する開口を塞いだ状態に維持することができる。
【００１１】
このように床補助カバーは、常にばねによって間口方向の内側にばね付勢された状態で、係合支持手段が前記間口方向内側から係合した状態で支持されるので、常に床用伸縮継手カバーと壁用伸縮継手カバーとの間の床壁取合い部の開口を塞ぐ位置に前記床補助カバーを配置することができ、簡単な構成で確実に前記開口を塞ぐことができる。特に、床補助カバーは、係合支持手段によって間口方向の内側から係合した状態で、ばねによって間口方向の内側へばね付勢されるので、前記従来の技術に関連して述べたように、各建物の間口方向への変位が大きくなるにつれて床補助カバーの押出し力が弱くなり、床補助カバーの押出し限界位置が不揃いになって確実に開口を塞ぐことができない、という問題が生じない。
【００１２】
【発明の実施の形態】
図１は、本発明の実施の一形態の伸縮継手装置の床補助カバー構造を示す水平断面図である。目地空間１を挟んで隣接する２つの建物２ａ，２ｂの各通路３ａ，３ｂ間は、各通路３ａ，３ｂの床４ａと床４ｂとにわたって設けられる床用伸縮継手カバー５と、各通路３ａ，３ｂの壁６ａ，６ｂとにわたって設けられる壁用伸縮継手カバー７とを含む伸縮継手装置によって、各建物２ａ，２ｂの水平変位のうち、相対的に近接／離反する見込み方向Ａおよび前記見込み方向Ａに垂直な間口方向Ｂの変位を許容し得る状態で接続される。
【００１３】
床用伸縮継手カバー５の前記間口方向Ｂの両端部付近には、各建物２ａ，２ｂの前記見込み方向Ａの変位によって、床用伸縮継手カバー５と壁用伸縮継手カバー７との間の床壁取合い部８に発生する開口９を塞ぐ床補助カバー１０が設けられる。なお、図１においては、図解を容易にするため、片側の床壁取合い部８の床補助カバー構造だけが示され、前記開口９は多数の点によって領域を示し、床補助カバー１０は平行な複数の破線によって配置領域が示されている。
【００１４】
図２は、床補助カバー１０の取付け状態を示す斜視図であり、図３は図１の切断面線ＩＩＩ−ＩＩＩから見た断面図である。上記のように構成される床壁取合い部８の床補助カバー構造において、各床６ａ，６ｂに固定される各縁材１１ａ，１１ｂの前記間口方向Ｂ両端部寄りには、前記床補助カバー１０に間口方向Ｂの内側、すなわち図１および図３の右側から係合して、その床補助カバー１０を移動可能に支持する係合支持手段１２ａ，１２ｂと、床補助カバー１０を各縁材１１ａ，１１ｂ間のほぼ中央部に位置して前記間口方向Ｂの内側、すなわち図１および図３の右側へばね付勢する引張ばね１３ａ，１３ｂとが設けられる。
【００１５】
前記床補助カバー１０は、水平に配置される平坦状の上板１４と、上板１４の周縁部から下方にほぼ直角に屈曲して連なる周壁１５とを有し、たとえばステンレス鋼板を切断および曲げ加工して形成される。周壁１５は、上板１４の長手方向に垂直な幅方向両端部から下方に直角に屈曲して連なり、前記長手方向に沿って平行に延びる第１および第２周壁部分１６ａ，１６ｂと、第１周壁部分１６ａの長手方向両端部に連なり、第１周壁部分１６ａの延長線に対して４５°の角度を成して長手方向に相互に離反するにつれて第２周壁部分１６ｂの延長線に近接する方向に傾斜する第３および第４周壁部分１６ｃ，１６ｄと、第３および第４周壁部分１６ｃ，１６ｄの前記長手方向に最も離れた各端部に屈曲して連なり、長手方向に垂直な仮想鉛直面に沿って相互に平行に延びる第５および第６周壁部分１６ｅおよび１６ｆと、第２周壁部分１６ｂの長手方向両端部に屈曲して連なり、前記長手方向に沿って相互に離反するにつれて第１周壁部分１６ａの延長線に近接する方向に傾斜する第７および第８周壁部分１６ｇおよび１６ｈとを有する。
【００１６】
第７および第８周壁部分１６ｇ，１６ｈは、第２周壁部分１６ｂの延長線に対して角度４５°を成して傾斜し、相互に直角に構成する各仮想鉛直面に沿って形成される。第５周壁部分１６ｅと第７周壁部分１６ｇとの交差部ｃ１には、前記一方の引張ばね１３ａの一端部が係止される。第６周壁部分１６ｆと第８周壁部分１６ｈとの交差部ｃ２には、前記他方の引張ばね１３ｂの一端部が係止される。各引張ばね１３ａ，１３ｂの各他端部は、縁材１１ａ，１１ｂの折返し部分２１ａ，２１ｂに、前記見込み方向Ａに平行に配置された床補助カバー１０の引張ばね１３ａ，１３ｂの各一端部が係止される前記各交差部を通る延長線ｍよりも間口方向Ｂ中央寄り（図１および図３の右寄り）の係止部ｃ３，ｃ４でそれぞれ係止される。
【００１７】
このように設けられる各引張ばね１３ａ，１３ｂによって、床補助カバー１０の長手方向両端部が間口方向Ｂの内側、すなわち図１および図３の右側にばね付勢され、各ばね１３ａ，１３ｂの見込み方向Ａへのばね力成分Ｆ１，Ｆ２によって、床補助カバー１０は常に各縁材１１ａ，１１ｂ間の見込み方向Ａのほぼ中央部に配置される。
【００１８】
前記係合支持手段１２ａ，１２ｂは、床補助カバー１０の上板１４を下方から移動可能に支持するボールキャスタ２２と、ボールキャスタ２２が上部に連結され、下部が縁材１１ａ，１１ｂに溶接して固定されるローラキャスタ２３とを有する。ボールキャスタ２２は、球状の案内ボール２４と、この案内ボール２４を回動自在に支持するホルダ２５とを有する。またローラキャスタ２３は、鉛直な回転軸線まわりに回転自在な案内ローラ２６と、案内ローラ２６を前記鉛直な回転軸線まわりに軸支するブラケット２７とを有する。ブラケット２７の上部には、前記ホルダ２５が固定され、案内ローラ２６の外周部はブラケット２７から突出し、前述したように床補助カバー１０の第１周壁部分１６ａの内面に当接している。
【００１９】
このような係合支持手段１２ａ，１２ｂによって、前記床補助カバー１０は見込み方向Ａおよび間口方向Ｂに移動自在に支持され、間口方向Ｂに関しては内方への変位、すなわち各床補助カバー１０が相互に近接する方向への変位が阻止されている。
【００２０】
図４は、床用伸縮継手カバー５の具体的構成を示す鉛直断面図である。前記床用伸縮継手カバー５は、各床４ａ，４ｂの前記目地空間１を挟んで対向する対向壁面内に埋め込まれた図４の紙面に垂直に長手の埋込みファスナ３１ａ，３１ｂの上部寄りに溶接して固定される一対の上段支持片３２ａ，３２ｂと、各埋込みファスナ３１ａ，３１ｂに前記上段支持片３２ａ，３２ｂの下方で溶接して固定される下段支持片３３ａ，３３ｂと、上段支持片３２ａ，３２ｂの背後で各埋込みファスナ３１ａ，３１ｂの上面３５ａ，３５ｂに溶接して固定される一対の内取付片３６ａ，３６ｂと、床４ａ，４ｂの上面３４ａ，３４ｂ上に前記内取付片３６ａ，３６ｂよりも見込み方向Ａの両側方でアンカーボルト３７ａ，３７ｂによって各床４ａ，４ｂに固定される外取付片３８ａ，３８ｂと、各対を成す内取付片３６ａ，３６ｂおよび外取付片３８ａ，３８ｂに各長手方向両端部がそれぞれ固定され、図４の紙面に垂直な間口方向Ｂに間隔をあけて設けられる補強部材３９ａ，３９ｂと、上段支持片３２ａ，３２ｂおよび補強部材３９ａ，３９ｂに支持された状態で固定される前記縁材１１ａ，１１ｂと、各縁材１１ａ，１１ｂに見込み方向Ａ両側部が移動可能に支持される中央パネル４１と、各縁材１１ａ，１１ｂに固定され、中央パネル４１の両側部を上方から覆う一対の側部カバー４２ａ，４２ｂと、中央パネル４１を各建物２ａ，２ｂの水平変位の方向に拘わらず常に各縁材１１ａ，１１ｂ間の中央部に保持して、各建物２ａ，２ｂの見込み方向Ａおよび間口方向Ｂの変位を許容し、パンタグラフ状のリンク機構によって実現される複数の中央保持手段４３とを含む。
【００２１】
前記中央保持手段４３は、その両端部がピンボルト４７ａ，４７ｂによって下段支持片３３ａ，３３ｂに枢支され、中央部がピンボルト４８によって中央パネル４１の幅方向中央部に枢支される。これらのピンボルト４７ａ，４７ｂ，４８の各軸線は、略鉛直方向に延び、相互に平行である。
【００２２】
中央パネル４１の見込み方向Ａ両側部には、中央パネル４１を各縁材１１ａ，１１ｂ上で円滑に移動可能に支持するボールキャスタ４４ａ，４４ｂが図４の紙面に垂直な方向に間隔をあけて複数対設けられ、このような中央パネル４１の間口方向Ｂ両端部付近に、前述の床補助カバー１０、係合支持手段１２ａ，１２ｂ、引張ばね１３ａ，１３ｂが見込み方向Ａに向って左右対称に設けられる。前述の図１では、図解を容易にするため、屋外４５側に設けられる床補助カバー１０およびその付近だけが示されている。
【００２３】
各埋込みファスナ３１ａ，３１ｂの下端部には、可撓性を有するたとえばゴムから成る止水シート４６の幅方向両端部が固定される。この状態では、各建物２ａ，２ｂが急激な地震などによって相対的に近接／離反する見込み方向Ａの変位が生じていない状態で、下方に凸に湾曲し、かつ図４の紙面に垂直手前側から奥行き方向に排水勾配を有し、下方への雨水の落下が防がれている。
【００２４】
再び図１を参照して、前記壁用伸縮継手カバー７は、各内壁５１ａ，５１ｂにヒンジ５２ａ，５２ｂによって鉛直軸線まわりに角変位可能に連結される内壁カバー５３と、各外壁５４ａ，５４ｂにヒンジ５５ａ，５５ｂによって、鉛直軸線まわりに角変位自在に連結される外壁カバー５６とを有する。
【００２５】
内壁カバー５３は、各ヒンジ５２ａ，５２ｂに鉛直な軸線まわりに角変位可能に連結され、図１の紙面に垂直な方向に長手の一対の案内カバー５７ａ，５７ｂと、各案内カバー部５７ａ，５７ｂに連結され、パンタグラフ状のリンク機構によって実現される伸縮保持手段５８と、伸縮保持手段５８の中央部にばね５９およびボルト６０によって前記伸縮保持手段５８に近接する方向に弾発的に引寄せられた状態で保持される内壁中央パネル６１とを有する。
【００２６】
このような内壁カバー５３の屋外４５側には、前記外壁カバー５６が設けられる。この外壁カバー５６は、各ヒンジ５５ａ，５５ｂに連結され、パンタグラフ状のリンク機構によって実現される伸縮保持手段６４と、一方の外壁５４ｂに設けられるヒンジ６５によって角変位自在に連結される外壁中央パネル６６と、外壁中央パネル６６を間口方向Ｂの内方、すなわち図１の右方に弾発的に引張ってばね付勢する引張ばね６７とを有する。
【００２７】
図５は、各建物２ａ，２ｂの変位に伴う床補助カバー１０の動作を示す平面図であり、図５（１）は各建物２ａ，２ｂが変位していないときの床補助カバー１０の状態を示し、図５（２）は各建物２ａ，２ｂが最も離間しかつ間口方向Ｂへずれたときの床補助カバー１０の状態を示し、図５（３）は各建物２ａ，２ｂが最も近接しかつ間口方向Ｂへずれたときの床補助カバー１０の状態を示す。
【００２８】
図５（１）に示されるように、各建物２ａ，２ｂが水平変位を生じていない状態では、床補助カバー１０は各通路３ａ，３ｂをつなぐ通路軸線ｎにほぼ平行に配置される。この状態で、図５（２）に示されるように、一方の建物２ａが他方の建物２ｂに対して見込み方向Ａに離反しかつ間口方向Ｂにずれると、この変位に追従して一方の建物２ａの縁材１１ａに設けられる係合支持手段１２ａが床補助カバー１０を間口方向Ｂ一方側へ押圧し、床補助カバー１０は傾斜するが、この傾斜した床補助カバー１０によって大きく開いた開口９は塞がれている。
【００２９】
また図５（２）に示されるように、一方の建物２ａが他方の建物２ｂに近接した状態で間口方向Ｂへずれると、床補助カバー１０はさらに大きく傾斜し、開口９は塞いだままに保たれる。このように床補助カバー１０が大きく傾斜しても、この床補助カバー１０には第７および第８周壁部分１６ｇ，１６ｈが形成されるため、補強部材７０へ干渉することが防がれる。
【００３０】
このように床用伸縮継手カバー５および壁用伸縮継手カバー７によって各建物２ａ，２ｂ間の見込み方向Ａへの相対的に近接／離反する方向への変位ならびに間口方向Ｂへずれる方向への変位を許容し、常に床壁取合い部８の床側に発生する開口部９を確実に塞いだ状態に維持することができるので、通行者が過って開口９内に足などを嵌込んだり、物品を落下させるという不具合を防ぐことができ、安全性が向上される。特に床補助カバー１０は係合支持手段１２ａ，１２ｂの相対的な間口方向Ｂへの変位によってその変位方向に押圧されて角変位することができるので、変位に対して時間的にずれて開口９を塞ぐ方向に変位するという不具合がなく、変位に対する遅れが生じない。
【００３１】
【発明の効果】
請求項１記載の本発明によれば、床補助カバーを係合支持手段によって建物の変位方向に押圧しかつばねによって見込み方向両側にばね付勢するので、床補助カバーを常に各縁材間のほぼ中央部に配置して床壁取合い部の床側に発生する開口を確実に塞ぐことができる。また床補助カバーは係合支持手段によって変位方向に押圧され、またほぼ中央部に保持するためにばねによってばね付勢するという簡単な構成によって、確実に開口を塞いだ状態に維持することができ、本発明を安価にかつ容易に実現することが可能であり、施工期間も短くて済むという有利な効果を達成することができる。
【図面の簡単な説明】
【図１】本発明の実施の一形態の伸縮継手装置の床補助カバー構造を示す水平断面図である。
【図２】床補助カバー１０の取付け状態を示す斜視図である。
【図３】図１の切断面線ＩＩＩ−ＩＩＩから見た断面図である。
【図４】床用伸縮継手カバー５の具体的構成を示す鉛直断面図である。
【図５】各建物２ａ，２ｂの変位に伴う床補助カバー１０の動作を示す平面図であり、図５（１）は各建物２ａ，２ｂが変位していないときの床補助カバー１０の状態を示し、図５（２）は各建物２ａ，２ｂが最も離間しかつ間口方向Ｂへずれたときの床補助カバー１０の状態を示し、図５（３）は各建物２ａ，２ｂが最も近接しかつ間口方向Ｂへずれたときの床補助カバー１０の状態を示す。
【符号の説明】
１  目地空間
２ａ，２ｂ  建物
３ａ，３ｂ  通路
４ａ，４ｂ  床
５  床用伸縮継手カバー
６ａ，６ｂ  壁
７  壁用伸縮継手カバー
８  床壁取合い部
９  開口
１０  床補助カバー
１１ａ，１１ｂ  縁材
１２ａ，１２ｂ  係合支持手段
１３ａ，１３ｂ  引張ばね
１４  上板
１５  周壁
１６ａ〜１６ｈ  第１〜第８周壁部分
２２  ボールキャスタ
２３  ローラキャスタ
４１  中央パネル
４２ａ，４２ｂ  側部カバー
４３  中央保持手段
５１  内壁中央パネル
６６  外壁中央パネル
Ａ  見込み方向
Ｂ  間口方向
【図１】
0004132537.tif 000002
【図２】
0004132537.tif 000003
【図３】
0004132537.tif 000004
【図４】
0004132537.tif 000005
【図５】
0004132537.tif 000006